(57)【要約】【課題】電圧調整可能な電圧範囲を広範囲に設定して汎用性を向上させる。【解決手段】第１の変換回路１１は、第１電位点Ｐ１と第４電位点Ｐ４との間の電圧を、第１電圧ＶＢ１または第２電圧ＶＢ２から第１電圧ＶＢ１と第２電圧ＶＢ２との和の電圧（ＶＢ１＋ＶＢ２）までの範囲の電圧に制御する、および／または、第１電圧ＶＢ１と第２電圧ＶＢ２との和の電圧（ＶＢ１＋ＶＢ２）以上の電圧に制御する。第２の変換回路１２は、第３電位点Ｐ１と第６電位点Ｐ６との間の電圧を、第２電圧ＶＢ２または第３電圧ＶＢ３から第２電圧ＶＢ２と第３電圧ＶＢ３との和の電圧（ＶＢ２＋ＶＢ３）までの範囲の電圧に制御する、および／または、第２電圧ＶＢ２と第３電圧ＶＢ３との和の電圧（ＶＢ２＋ＶＢ３）以上の電圧に制御する。【選択図】図１
2014239572.tif 000002
【特許請求の範囲】
【請求項１】
第１電源、第２電源、および第３電源を備える少なくとも３つの電源と、
前記電源から供給される電力によって駆動する負荷と、
前記負荷に印加する電圧を制御する電圧制御手段と、
を備え、
前記電圧制御手段は、
複数の電位点と、
第１の変換回路および第２の変換回路を備える少なくとも２つの変換回路と、を備え、
前記複数の電位点は、
前記第１電源の負極が接続された第１電位点と、前記第１電源の正極が接続された第２電位点と、前記第２電源の負極が接続された第３電位点と、前記第２電源の正極が接続された第４電位点と、前記第３電源の負極が接続された第５電位点と、前記第３電源の正極が接続された第６電位点と、を備え、
前記第１の変換回路は、前記第１電位点、前記第２電位点、前記第３電位点、および前記第４電位点に接続され、
前記第２の変換回路は、前記第３電位点、前記第４電位点、前記第５電位点、および前記第６電位点に接続され、
前記第１の変換回路は、前記第１電位点と前記第４電位点との間の電圧を、
前記第１電源または前記第２電源の電圧から前記第１電源の電圧と前記第２電源の電圧との和の電圧までの範囲の電圧に制御する、および／または、前記第１電源の電圧と前記第２電源の電圧との和の電圧以上の電圧に制御し、
前記第２の変換回路は、前記第３電位点と前記第６電位点との間の電圧を、
前記第２電源または前記第３電源の電圧から前記第２電源の電圧と前記第３電源の電圧との和の電圧までの範囲の電圧に制御する、および／または、前記第２電源の電圧と前記第３電源の電圧との和の電圧以上の電圧に制御する、
ことを特徴とする電源装置。
【請求項２】
３以上の自然数Ｎと、前記自然数Ｎ以下の任意の自然数Ｋと、（前記自然数Ｎ−１）以下の任意の自然数Ｌとによって、
第１から第Ｎ電源を備えるＮ個の電源と、
前記電源から供給される電力によって駆動する負荷と、
前記負荷に印加する電圧を制御する電圧制御手段と、
を備え、
前記電圧制御手段は、
（２Ｎ）個の第１から第（２Ｎ）電位点と、
（Ｎ−１）個の第１から第（Ｎ−１）の変換回路と、を備え、
前記第Ｋ電源の負極は前記第（２Ｋ−１）電位点に接続され、前記第Ｋ電源の正極は前記第（２Ｋ）電位点に接続され、
前記第Ｌの変換回路は、前記第（２Ｌ−１）から前記第（２Ｌ＋２）電位点に接続され、
前記第Ｌの変換回路は、前記第（２Ｌ−１）電位点と前記第（２Ｌ＋２）電位点との間の電圧を、
前記第Ｌ電源または前記第（Ｌ＋１）電源の電圧から前記第Ｌ電源の電圧と前記第（Ｌ＋１）電源の電圧との和の電圧までの範囲の電圧に制御する、および／または、前記第Ｌ電源の電圧と前記第（Ｌ＋１）電源の電圧との和の電圧以上の電圧に制御する、
ことを特徴とする電源装置。
【請求項３】
前記第１から前記第（Ｎ−１）の変換回路のうちの少なくとも何れか１つに接続された第２の負荷を備える、
ことを特徴とする請求項２に記載の電源装置。
【請求項４】
前記第１から前記第Ｎ電源のうちの少なくとも何れか１つに並列に接続された第３の負荷を備える、
ことを特徴とする請求項２または請求項３に記載の電源装置。
【請求項５】
前記第１から前記第（２Ｎ）電位点のうちの少なくとも何れか１対に両端が接続された第４の負荷を備える、
ことを特徴とする請求項２から請求項４の何れか１つに記載の電源装置。
【発明の詳細な説明】
【技術分野】
【０００１】
この発明は、電源装置に関する。
【背景技術】
【０００２】
従来、ＤＣ−ＤＣコンバータと、２つの第１，第２スイッチと、２つの第１，第２の電源とを備え、電気負荷に印加される電圧をＤＣ−ＤＣコンバータによって調整しつつ、第１，第２スイッチのオンおよびオフによって電気負荷に対して２つの第１，第２電源を直列接続状態と並列接続状態とに切り替えて接続する電源システムが知られている（例えば、特許文献１参照）。
従来、昇圧コンバータと、４つの第１〜第４リレーと、２つの２次電池とを備え、電気負荷に印加される電圧を昇圧コンバータによって調整しつつ、第１〜第４リレーのオンおよびオフによって電気負荷に対して２つの２次電池を直列接続状態と並列接続状態とに切り替えて接続する電源装置が知られている（例えば、特許文献２参照）。
【先行技術文献】
【特許文献】
【０００３】
【特許文献１】特開２０１２−１５２０７９号公報
【特許文献２】特開２０１２−６０８３８号公報
【発明の概要】
【発明が解決しようとする課題】
【０００４】
ところで、上記従来技術に係る電源システムおよび電源装置においては、ＤＣ−ＤＣコンバータ（または昇圧コンバータ）の動作点は、第１および第２の電源（または二次電池）が並列接続状態となる昇圧比が１倍の点と、第１および第２の電源（または二次電池）が直列接続状態となる昇圧比が２倍の点との２点のみに実質的に限定されている。このため、例えば小型車から大型車までの車両に共通に搭載して、所望の電圧範囲における任意の電圧調整を行なう場合などにおいて、電源または電圧調整装置の特性を変更する必要が生じ、汎用性を確保することができないという問題が生じる。
【０００５】
本発明は上記事情に鑑みてなされたもので、電圧調整可能な電圧範囲を広範囲に設定して汎用性を向上させることが可能な電源装置を提供することを目的としている。
【課題を解決するための手段】
【０００６】
上記課題を解決して係る目的を達成するために、本発明は以下の態様を採用した。
（１）本発明の一態様に係る電源装置は、第１電源（例えば、実施形態での第１電源ＢＴ１）、第２電源（例えば、実施形態での第２電源ＢＴ２）、および第３電源（例えば、実施形態での第３電源ＢＴ３）を備える少なくとも３つの電源と、前記電源から供給される電力によって駆動する負荷（例えば、実施形態での負荷１３）と、前記負荷に印加する電圧を制御する電圧制御手段（例えば、実施形態での制御装置１５、第１および第２の変換回路１１，１２）と、を備え、前記電圧制御手段は、複数の電位点（例えば、実施形態での第１電位点Ｐ１〜第６電位点Ｐ６）と、第１の変換回路および第２の変換回路を備える少なくとも２つの変換回路（例えば、実施形態での第１および第２の変換回路１１，１２）と、を備え、前記複数の電位点は、前記第１電源の負極が接続された第１電位点（例えば、実施形態での第１電位点Ｐ１）と、前記第１電源の正極が接続された第２電位点（例えば、実施形態での第２電位点Ｐ２）と、前記第２電源の負極が接続された第３電位点（例えば、実施形態での第３電位点Ｐ３）と、前記第２電源の正極が接続された第４電位点（例えば、実施形態での第４電位点Ｐ４）と、前記第３電源の負極が接続された第５電位点（例えば、実施形態での第５電位点Ｐ５）と、前記第３電源の正極が接続された第６電位点（例えば、実施形態での第６電位点Ｐ６）と、を備え、前記第１の変換回路は、前記第１電位点、前記第２電位点、前記第３電位点、および前記第４電位点に接続され、前記第２の変換回路は、前記第３電位点、前記第４電位点、前記第５電位点、および前記第６電位点に接続され、前記第１の変換回路は、前記第１電位点と前記第４電位点との間の電圧を、前記第１電源または前記第２電源の電圧から前記第１電源の電圧と前記第２電源の電圧との和の電圧までの範囲の電圧に制御する、および／または、前記第１電源の電圧と前記第２電源の電圧との和の電圧以上の電圧に制御し、前記第２の変換回路は、前記第３電位点と前記第６電位点との間の電圧を、前記第２電源または前記第３電源の電圧から前記第２電源の電圧と前記第３電源の電圧との和の電圧までの範囲の電圧に制御する、および／または、前記第２電源の電圧と前記第３電源の電圧との和の電圧以上の電圧に制御する。
【０００７】
（２）本発明の一態様に係る電源装置は、３以上の自然数Ｎと、前記自然数Ｎ以下の任意の自然数Ｋと、（前記自然数Ｎ−１）以下の任意の自然数Ｌとによって、第１から第Ｎ電源を備えるＮ個の電源（例えば、実施形態での第１から第Ｎ電源ＢＴ１，…，ＢＴＮ）と、前記電源から供給される電力によって駆動する負荷（例えば、実施形態での負荷１３）と、前記負荷に印加する電圧を制御する電圧制御手段（例えば、実施形態での制御装置１５、第１から第（Ｎ−１）の変換回路ＣＶ１…，ＣＶ（Ｎ−１））と、を備え、前記電圧制御手段は、（２Ｎ）個の第１から第（２Ｎ）電位点と、（Ｎ−１）個の第１から第（Ｎ−１）の変換回路（例えば、実施形態での第１から第（Ｎ−１）の変換回路ＣＶ１…，ＣＶ（Ｎ−１））と、を備え、前記第Ｋ電源の負極は前記第（２Ｋ−１）電位点に接続され、前記第Ｋ電源の正極は前記第（２Ｋ）電位点に接続され、前記第Ｌの変換回路は、前記第（２Ｌ−１）から前記第（２Ｌ＋２）電位点に接続され、前記第Ｌの変換回路は、前記第（２Ｌ−１）電位点と前記第（２Ｌ＋２）電位点との間の電圧を、前記第Ｌ電源または前記第（Ｌ＋１）電源の電圧から前記第Ｌ電源の電圧と前記第（Ｌ＋１）電源の電圧との和の電圧までの範囲の電圧に制御する、および／または、前記第Ｌ電源の電圧と前記第（Ｌ＋１）電源の電圧との和の電圧以上の電圧に制御する。
【０００８】
（３）上記（２）に記載の電源装置では、前記第１から前記第（Ｎ−１）の変換回路のうちの少なくとも何れか１つに接続された第２の負荷を備えてもよい。
【０００９】
（４）上記（２）または（３）に記載の電源装置では、前記第１から前記第Ｎ電源のうちの少なくとも何れか１つに並列に接続された第３の負荷を備えてもよい。
【００１０】
（５）上記（２）から（４）の何れか１つに記載の電源装置では、前記第１から前記第（２Ｎ）電位点のうちの少なくとも何れか１対に両端が接続された第４の負荷を備えてもよい。
【発明の効果】
【００１１】
上記（１）または（２）に記載の態様に係る電源装置によれば、第１から第３電源の何れかの電圧から、第１から第３電源の電圧の和の電圧以上に亘る範囲における所望の電圧範囲において連続的に任意の電圧制御を行なうことができる。例えば電源装置の設計時などにおいて、所望の電圧範囲に適合する各電源の数および各変換回路の数を設定することによって、各種のシステムに簡易に適合することができ、電圧制御可能な電圧範囲を広範囲に設定して汎用性を向上させることができる。
【００１２】
さらに、上記（３）の場合、負荷に印加する電圧と、第２の負荷に印加する電圧とを、それぞれ任意に制御することができ、各種のシステムに適合する汎用性を向上させることができる。
さらに、上記（４）の場合、負荷に印加する電圧と、第３の負荷に印加する電圧とを、それぞれ任意に制御することができ、各種のシステムに適合する汎用性を向上させることができる。
さらに、上記（５）の場合、負荷に印加する電圧と、第４の負荷に印加する電圧とを、それぞれ任意に制御することができ、各種のシステムに適合する汎用性を向上させることができる。
【図面の簡単な説明】
【００１３】
【図１】本発明の実施形態に係る電源装置の構成図である。
【図２】本発明の実施形態の第１変形例に係る電源装置の構成図である。
【図３Ａ】本発明の実施形態の第１変形例に係る電源装置の主要な構成を示す図である。
【図３Ｂ】本発明の実施形態の第１変形例に係る電源装置の主要な構成を示す図である。
【図４】本発明の実施形態の第２変形例に係る電源装置の構成図である。
【図５】本発明の実施形態の第３変形例に係る電源装置の構成図である。
【図６】本発明の実施形態の第４変形例に係る電源装置の構成図である。
【図７】本発明の実施形態の第１実施例に係る電源装置の構成図である。
【図８Ａ】本発明の実施形態の第１実施例に係る変換回路の構成図である。
【図８Ｂ】本発明の実施形態の第１実施例に係る変換回路の構成図である。
【図９Ａ】本発明の実施形態の第１実施例に係る変換回路の力行時における各スイッチング素子のＯＮ／ＯＦＦと電流の流れを示す図である。
【図９Ｂ】本発明の実施形態の第１実施例に係る変換回路の回生時における各スイッチング素子のＯＮ／ＯＦＦと電流の流れを示す図である。
【図１０】本発明の実施形態の第２実施例に係る電源装置の構成図である。
【図１１Ａ】本発明の実施形態の第２実施例に係る変換回路の構成図である。
【図１１Ｂ】本発明の実施形態の第２実施例に係る変換回路の構成図である。
【図１２Ａ】本発明の実施形態の第２実施例に係る変換回路の力行時における各スイッチング素子のＯＮ／ＯＦＦと電流の流れを示す図である。
【図１２Ｂ】本発明の実施形態の第２実施例に係る変換回路の回生時における各スイッチング素子のＯＮ／ＯＦＦと電流の流れを示す図である。
【図１３】本発明の実施形態の第３実施例に係る変換回路の構成図である。
【図１４Ａ】本発明の実施形態の第３実施例に係る変換回路の力行時における各スイッチング素子のＯＮ／ＯＦＦと電流の流れを示す図である。
【図１４Ｂ】本発明の実施形態の第３実施例に係る変換回路の回生時における各スイッチング素子のＯＮ／ＯＦＦと電流の流れを示す図である。
【図１５】本発明の実施形態の第４実施例に係る変換回路の構成図である。
【図１６Ａ】本発明の実施形態の第４実施例に係る変換回路の力行時における各スイッチング素子のＯＮ／ＯＦＦと電流の流れを示す図である。
【図１６Ｂ】本発明の実施形態の第４実施例に係る変換回路の回生時における各スイッチング素子のＯＮ／ＯＦＦと電流の流れを示す図である。
【図１６Ｃ】本発明の実施形態の第４実施例に係る変換回路の力行時における各スイッチング素子のＯＮ／ＯＦＦと電流の流れを示す図である。
【図１６Ｄ】本発明の実施形態の第４実施例に係る変換回路の回生時における各スイッチング素子のＯＮ／ＯＦＦと電流の流れを示す図である。
【図１７】本発明の実施形態の第５実施例に係る変換回路の構成図である。
【図１８Ａ】本発明の実施形態の第５実施例に係る変換回路の力行時における各スイッチング素子のＯＮ／ＯＦＦと電流の流れを示す図である。
【図１８Ｂ】本発明の実施形態の第５実施例に係る変換回路の回生時における各スイッチング素子のＯＮ／ＯＦＦと電流の流れを示す図である。
【図１９】本発明の実施形態の第６実施例に係る変換回路の構成図である。
【図２０】本発明の実施形態の第６実施例に係る変換回路の構成図である。
【図２１Ａ】本発明の実施形態の第６実施例に係る変換回路の力行時における各スイッチング素子のＯＮ／ＯＦＦと電流の流れを示す図である。
【図２１Ｂ】本発明の実施形態の第６実施例に係る変換回路の回生時における各スイッチング素子のＯＮ／ＯＦＦと電流の流れを示す図である。
【図２１Ｃ】本発明の実施形態の第６実施例に係る変換回路の力行時における各スイッチング素子のＯＮ／ＯＦＦと電流の流れを示す図である。
【図２１Ｄ】本発明の実施形態の第６実施例に係る変換回路の回生時における各スイッチング素子のＯＮ／ＯＦＦと電流の流れを示す図である。
【図２２】本発明の実施形態の第７実施例に係る変換回路の構成図である。
【図２３Ａ】本発明の実施形態の第７実施例に係る変換回路の力行時における各スイッチング素子のＯＮ／ＯＦＦと電流の流れを示す図である。
【図２３Ｂ】本発明の実施形態の第７実施例に係る変換回路の回生時における各スイッチング素子のＯＮ／ＯＦＦと電流の流れを示す図である。
【図２３Ｃ】本発明の実施形態の第７実施例に係る変換回路の力行時における各スイッチング素子のＯＮ／ＯＦＦと電流の流れを示す図である。
【図２３Ｄ】本発明の実施形態の第７実施例に係る変換回路の回生時における各スイッチング素子のＯＮ／ＯＦＦと電流の流れを示す図である。
【発明を実施するための形態】
【００１４】
以下、本発明の実施形態に係る電源装置について添付図面を参照しながら説明する。
本発明の実施形態に係る電源装置は、例えば車両の走行駆動力を発生可能な電動機の力行および回生を制御するインバータなどの負荷に直流電力を供給する電源装置を成している。
【００１５】
本発明の実施形態による電源装置１０は、図１に示すように、例えばバッテリなどの第１電源ＢＴ１、第２電源ＢＴ２、および第３電源ＢＴ３と、第１の変換回路（ＣＶ１）１１と、第２の変換回路（ＣＶ２）１２と、負荷（ＬＤ）１３と、キャパシタ（ＣＡ）１４と、制御装置１５と、を備えている。負荷１３は、第１および第２の変換回路１１，１２から供給される直流電力によって駆動可能であるとともに、発電による直流電力を第１および第２の変換回路１１，１２に供給可能である。キャパシタ（ＣＡ）１４は負荷１３の両端に接続されている。
【００１６】
電源装置１０は、第１電位点Ｐ１〜第６電位点Ｐ６を備えている。
第１電位点Ｐ１は第１電源ＢＴ１の負極に接続され、第２電位点Ｐ２は第１電源ＢＴ１の正極に接続されている。第３電位点Ｐ３は第２電源ＢＴ２の負極に接続され、第４電位点Ｐ４は第２電源ＢＴ２の正極に接続されている。第５電位点Ｐ５は第３電源ＢＴ３の負極に接続され、第６電位点Ｐ６は第３電源ＢＴ３の正極に接続されている。
第１の変換回路１１は、第１電位点Ｐ１、第２電位点Ｐ２、第３電位点Ｐ３、および第４電位点Ｐ４に接続され、第２の変換回路１２は、第３電位点Ｐ３、第４電位点Ｐ４、第５電位点Ｐ５、および第６電位点Ｐ６に接続されている。
【００１７】
第１および第２の変換回路１１，１２は、後述するように、少なくとも降圧型または昇圧型の直流電力変換回路を備え、制御装置１５から出力される信号によって互いに独立に駆動可能に制御される。
第１の変換回路１１は、第１電位点Ｐ１と第４電位点Ｐ４との間の電圧を、第１電源ＢＴ１の第１電圧ＶＢ１または第２電源ＢＴ２の第２電圧ＶＢ２から第１電源ＢＴ１の第１電圧ＶＢ１と第２電源ＢＴ２の第２電圧ＶＢ２との和の電圧（ＶＢ１＋ＶＢ２）までの範囲の電圧に制御する、および／または、第１電源ＢＴ１の第１電圧ＶＢ１と第２電源ＢＴ２の第２電圧ＶＢ２との和の電圧（ＶＢ１＋ＶＢ２）以上の電圧に制御する。
第２の変換回路１２は、第３電位点Ｐ１と第６電位点Ｐ６との間の電圧を、第２電源ＢＴ２の第２電圧ＶＢ２または第３電源ＢＴ３の第３電圧ＶＢ３から第２電源ＢＴ２の第２電圧ＶＢ２と第３電源ＢＴ３の第３電圧ＶＢ３との和の電圧（ＶＢ２＋ＶＢ３）までの範囲の電圧に制御する、および／または、第２電源ＢＴ２の第２電圧ＶＢ２と第３電源ＢＴ３の第３電圧ＶＢ３との和の電圧（ＶＢ２＋ＶＢ３）以上の電圧に制御する。
【００１８】
制御装置１５は、負荷制御部２１と、接続切替制御部２２と、を備えている。
負荷制御部２１は、負荷１３の動作を制御する。例えば、負荷１３が３相のブラシレスＤＣモータなどの電動機と、この電動機の力行および回生を制御するインバータとを備える場合には、負荷制御部２１はインバータの電力変換動作を制御する。より詳細には、電動機の力行運転時には、負荷制御部２１は、インバータの直流側の両極間に印加される直流電力を３相交流電力に変換し、電動機の各相への通電を順次転流させることで交流の各相電流を通電する。一方、電動機の回生運転時には、負荷制御部２１は、電動機の回転角に基づいて同期を取りつつ電動機から出力される交流の発電電力を直流電力に変換する。
【００１９】
接続切替制御部２２は、パルス幅変調（ＰＷＭ）による信号（ＰＷＭ信号）を第１および第２の変換回路１１，１２に具備される各スイッチング素子のゲートに入力することによって、第１および第２の変換回路１１，１２を互いに独立に駆動可能である。
【００２０】
上述したように、本発明の実施形態による電源装置１０によれば、第１から第３電源ＢＴ１〜ＢＴ３の何れかの電圧ＶＢ１〜ＶＢ３から、第１から第３電源ＢＴ１〜ＢＴ３の電圧ＶＢ１〜ＶＢ３の和の電圧（ＶＢ１＋ＶＢ２＋ＶＢ３）以上に亘る範囲における所望の電圧範囲において連続的に任意の電圧制御を行なうことができる。
これによって、例えば電源装置１０の設計時などにおいて、所望の電圧範囲に適合する各電源の数および各変換回路の数を設定することによって、各種のシステムに簡易に適合することができ、電圧制御可能な電圧範囲を広範囲に設定して汎用性を向上させることができる。
【００２１】
（第１変形例）
なお、上述した実施形態においては、図２に示す第１変形例のように、３つの第１〜第３電源ＢＴ１〜ＢＴ３と２つの第１および第２の変換回路１１，１２に限定されず、４つ以上の電源と３つ以上の変換回路を備えてもよい。
例えば、図２に示す第１変形例による電源装置１０は、上述した実施形態に対して、さらに、第４電源ＢＴ４と、第３の変換回路（ＣＶ３）３０と、第７電位点Ｐ７および第８電位点Ｐ８と、を備えている。
第７電位点Ｐ７は第４電源ＢＴ４の負極に接続され、第８電位点Ｐ８は第４電源ＢＴ４の正極に接続されている。第３の変換回路３０は、第５電位点Ｐ５、第６電位点Ｐ６、第７電位点Ｐ７、および第８電位点Ｐ８に接続されている。
第３の変換回路３０は、後述するように、少なくとも降圧型または昇圧型の直流電力変換回路を備え、制御装置１５から出力される信号によって互いに独立に駆動可能に制御される。
第３の変換回路３０は、第５電位点Ｐ５と第８電位点Ｐ８との間の電圧を、第３電源ＢＴ３の第３電圧ＶＢ３または第４電源ＢＴ４の第４電圧ＶＢ４から第３電源ＢＴ３の第３電圧ＶＢ３と第４電源ＢＴ４の第４電圧ＶＢ４との和の電圧（ＶＢ３＋ＶＢ４）までの範囲の電圧に制御する、および／または、第３電源ＢＴ３の第３電圧ＶＢ３と第４電源ＢＴ４の第４電圧ＶＢ４との和の電圧（ＶＢ３＋ＶＢ４）以上の電圧に制御する。
【００２２】
すなわち、３以上の自然数Ｎと、自然数Ｎ以下の任意の自然数Ｋ（１≦Ｋ≦Ｎ）と、（自然数Ｎ−１）以下の任意の自然数Ｌ（１≦Ｌ≦Ｎ−１）とによって、電源装置１０は、Ｎ個の第１から第Ｎ電源ＢＴ１，…，ＢＴＮと、（２×Ｎ）個の第１から第（２×Ｎ）電位点Ｐ１，…，Ｐ（２×Ｎ）と、（Ｎ−１）個の第１から第（Ｎ−１）の変換回路ＣＶ１…，ＣＶ（Ｎ−１）と、を備えている。
そして、図３Ａに示すように、第Ｋ電源の負極は第（２×Ｋ−１）電位点に接続され、第Ｋ電源の正極は第（２×Ｋ）電位点に接続されている。
また、図３Ｂに示すように、第Ｌの変換回路ＣＶＬは、第（２Ｌ−１）から第（２Ｌ＋２）電位点に接続されている。第Ｌの変換回路ＣＶＬは、第（２Ｌ−１）電位点と第（２Ｌ＋２）電位点との間の電圧を、第Ｌ電源の電圧または第（Ｌ＋１）電源ＢＴ（Ｌ＋１）の電圧から第Ｌ電源の電圧と第（Ｌ＋１）電源の電圧との和の電圧までの範囲の電圧に制御する、および／または、第Ｌ電源ＢＴＬの電圧と第（Ｌ＋１）電源の電圧との和の電圧以上の電圧に制御する。
【００２３】
この第１変形例によれば、第１から第Ｎ電源ＢＴ１，…，ＢＴＮの何れかの電圧から、第１から第Ｎ電源ＢＴ１，…，ＢＴＮの電圧の和の電圧以上に亘る範囲における所望の電圧範囲において連続的に任意の電圧制御を行なうことができる。
これによって、例えば電源装置１０の設計時などにおいて、所望の電圧範囲に適合する各電源の数および各変換回路の数を設定することによって、各種のシステムに簡易に適合することができ、電圧制御可能な電圧範囲を広範囲に設定して汎用性を向上させることができる。
【００２４】
（第２変形例）
なお、上述した実施形態および第１変形例においては、負荷１３に加えて、少なくとも何れか１つの変換回路に並列に接続された、少なくとも１つ以上の第２の負荷３１を備えてもよい。
例えば図４に示す第２変形例においては、第１の変換回路１１に並列に１つの第２の負荷３１（ＬＤ１）が接続されている。この場合において、負荷１３に供給される電圧は、第１および第２の変換回路１１，１２の動作により任意に制御可能であるとともに、第２の負荷３１に供給される電圧も任意に制御可能である。
より詳細には、例えば、第１〜第３電圧ＶＢ１〜ＶＢ３が等しく（ＶＢ１＝ＶＢ２＝ＶＢ３＝ＶＢ）とすれば、第１および第２の変換回路１１，１２の昇圧比ＲＴ１，ＲＴ２と、負荷１３に供給される電圧Ｖ１２３と、第２の負荷３１に供給される電圧Ｖ１２とに対して、Ｖ１２３＝ＶＢ×（ＲＴ１＋ＲＴ２−１）、Ｖ１２＝Ｖ１×ＲＴ１、と記述される。これによって、負荷１３に供給される電圧Ｖ１２３は、各電源ＢＴ１〜ＢＴ３の電圧ＶＢに対する昇圧比が１から３の範囲内で任意となるように制御可能であり、第２の負荷３１に供給される電圧Ｖ１２は、各電源ＢＴ１〜ＢＴ３の電圧ＶＢに対する昇圧比が１から２の範囲内で任意となるように制御可能である。
この第２変形例によれば、例えば、２つの第１および第２の電動機を搭載するハイブリッド車両などにおいて、負荷１３を第１の電動機とし、第２の負荷３１を第２の電動機として、第１および第２の電動機に供給される電圧をそれぞれ任意に制御することができる。
【００２５】
（第３変形例）
なお、上述した実施形態、第１および第２変形例においては、負荷１３に加えて、少なくとも何れか１つの電源に並列に接続された、少なくとも１つ以上の第３の負荷３２を備えてもよい。
例えば図５に示す第３変形例においては、負荷１３および第１の変換回路１１に並列に接続された第２の負荷３１に加えて、第１電源ＢＴ１に並列に１つの第３の負荷３２（ＬＤ２）が接続されている。この第３変形例によれば、例えば、２つの第１および第２の電動機を搭載するとともに外部充電器を接続可能なハイブリッド車両などにおいて、負荷１３を第１の電動機とし、第２の負荷３１を第２の電動機とし、第３の負荷３２を外部充電器とする。そして、第１および第２の変換回路１１，１２の昇圧比が１となるように駆動することによって、外部充電器の出力電圧を増大させる必要無しに、各電源ＢＴ１〜ＢＴ３に等しく充電電力を供給することができる。
【００２６】
（第４変形例）
なお、上述した実施形態、第１、第２、および第３変形例においては、負荷１３に加えて、複数の電位点のうちの少なくとも何れか１対に両端が接続された第４の負荷３３を備えてもよい。
例えば図６に示す第４変形例においては、負荷１３、第１および第２の変換回路１１，１２に並列に接続された第２の負荷３１（ＬＤ１，ＬＤ３）、および第１電源ＢＴ１に並列に接続された第３の負荷３２（ＬＤ２）に加えて、第１電位点Ｐ１と第３電位点Ｐ３とに両端が第４の負荷３３（ＬＤ４）が接続されている。この場合において、各負荷１３，３１，３２，３３に供給される電圧は、第１および第２の変換回路１１，１２の動作により任意に制御可能である。
【００２７】
（第１実施例）
以下に、上述した実施形態の第１実施例に係る電源装置１０について添付図面を参照しながら説明する。
第１実施例に係る電源装置１０は、図７および図８Ａに示すような第１および第２の変換回路１１，１２を備えている。第１および第２の変換回路１１，１２は、図８Ａ，Ｂに示すように、同一であって、ＩＧＢＴ（Insulated Gate Bipolar mode Transistor）などの第１〜第３スイッチング素子ＳＷ１〜ＳＷ３と、第１および第２リアクトルＬ１，Ｌ２と、第１ノードＡ〜第６ノードＦと、を備えている。
なお、第１の変換回路１１に対して第１電位点Ｐ１と第４電位点Ｐ４との間にはキャパシタＣＡ１が接続され、第２の変換回路１２に対して第３電位点Ｐ３と第６電位点Ｐ６との間にはキャパシタＣＡ２が接続されているが、各キャパシタＣＡ１，ＣＡ２は省略されてもよい。
【００２８】
第１ノードＡ（第１の変換回路１１のＡ１又は第２の変換回路１２のＡ２）には第２の電源ＢＴｂ（第１の変換回路１１の第２電源ＢＴ２又は第２の変換回路１２の第３電源ＢＴ３）の正極が接続され、第２ノードＢ（第１の変換回路１１のＢ１又は第２の変換回路１２のＢ２）には第２の電源ＢＴｂの負極が接続されている。
第３ノードＣ（第１の変換回路１１のＣ１又は第２の変換回路１２のＣ２）には第１の電源ＢＴａ（第１の変換回路１１の第１電源ＢＴ１又は第２の変換回路１２の第２電源ＢＴ２）の正極が接続され、第４ノードＤ（第１の変換回路１１のＤ１又は第２の変換回路１２のＤ２）には第１の電源ＢＴａの負極が接続されている。
第５ノードＥ（第１の変換回路１１のＥ１又は第２の変換回路１２のＥ２）と第３ノードＣ（第１の変換回路１１のＣ１又は第２の変換回路１２のＣ２）とには第２リアクトルＬ２の両端が接続されている。
第６ノードＦ（第１の変換回路１１のＦ１又は第２の変換回路１２のＦ２）と第２ノードＢ（第１の変換回路１１のＢ１又は第２の変換回路１２のＢ２）とには第１リアクトルＬ１の両端が接続されている。
第１スイッチング素子ＳＷ１のコレクタは第５ノードＥに接続され、エミッタは第６ノードＦに接続されている。第２スイッチング素子ＳＷ２のコレクタは第６ノードＦに接続され、エミッタは第４ノードＤに接続されている。第３スイッチング素子ＳＷ３のコレクタは第１ノードＡに接続され、エミッタは第５ノードＥに接続されている。各スイッチング素子ＳＷ１〜ＳＷ３のエミッタ−コレクタ間には、エミッタからコレクタに向けて順方向になるようにして各ダイオードＤ１〜Ｄ３が接続されている。
【００２９】
なお、第１電位点Ｐ１は第４ノードＤ１と同一であり、第２電位点Ｐ２は第３ノードＣ１と同一であり、第３電位点Ｐ３は第２ノードＢ１および第４ノードＤ２と同一であり、第４電位点Ｐ４は第１ノードＡ１および第３ノードＣ２と同一であり、第５電位点Ｐ５は第２ノードＢ２と同一であり、第６電位点Ｐ６は第２ノードＡ２と同一である。
【００３０】
第１および第２の変換回路１１，１２は、制御装置１５から出力されて各スイッチング素子ＳＷ１〜ＳＷ３のゲートに入力されるパルス幅変調（ＰＷＭ）された信号（ＰＷＭ信号）によって互いに独立に駆動可能に制御される。
より詳細には、各第１および第２の変換回路１１，１２毎に、第１スイッチング素子ＳＷ１と、第２および第３スイッチング素子ＳＷ２，ＳＷ３とが、スイッチング動作を行なうように制御される。このスイッチング動作では、各スイッチング素子ＳＷ１〜ＳＷ３が交互に閉接（ＯＮ）および開放（ＯＦＦ）に切り替えられる。
【００３１】
例えば図９Ａ，Ｂに示すように、負荷１３に直流電力を供給する力行時および負荷１３から直流電力が供給される回生時に、第１スイッチング素子ＳＷ１をＯＦＦかつ第２および第３スイッチング素子ＳＷ２，ＳＷ３をＯＮにする。これによって、第１ノードＡおよび第４ノードＤ間において第１および第２の電源ＢＴａ，ＢＴｂを並列に接続する。一方、第１スイッチング素子ＳＷ１をＯＮかつ第２および第３スイッチング素子ＳＷ２，ＳＷ３をＯＦＦすることによって、第１ノードＡおよび第４ノードＤ間において第１および第２の電源ＢＴａ，ＢＴｂを直列に接続する。
【００３２】
制御装置１５の接続切替制御部２２は、各第１および第２の変換回路１１，１２毎に、第１スイッチング素子ＳＷ１と、第２および第３スイッチング素子ＳＷ２，ＳＷ３とを反転して交互に閉接および開放（ＯＮ／ＯＦＦ）に切り替えるスイッチング動作を、デューティＤｕｔｙによって制御する。デューティＤｕｔｙは、第１スイッチング素子ＳＷ１のオン時間ｔ（ＳＷ１）と、第２および第３スイッチング素子ＳＷ２，ＳＷ３のオン時間ｔ（ＳＷ２＆ＳＷ３）とにより定義されている。接続切替制御部２２は、各第１および第２の変換回路１１，１２毎に、デューティＤｕｔｙを増減させることによって、第１ノードＡおよび第４ノードＤ間の電圧Ｖ０を、第１および第２の電源ＢＴａ，ＢＴｂの何れかの電圧と、第１および第２の電源ＢＴａ，ＢＴｂの電圧の和の電圧との間の任意の電圧に制御する。
これによって、例えば第１〜第３電圧ＶＢ１〜ＶＢ３が等しい場合（ＶＢ１＝ＶＢ２＝ＶＢ３＝ＶＢ）には、負荷１３に印加する電圧の昇圧比は１から３までの間の任意の値に制御される。
【００３３】
（第２実施例）
以下に、上述した実施形態の第２実施例に係る電源装置１０について添付図面を参照しながら説明する。
第２実施例に係る電源装置１０は、図１０および図１１Ａに示すような第１および第２の変換回路１１，１２を備えている。第１および第２の変換回路１１，１２は、図１１Ａ，Ｂに示すように、同一であって、ＩＧＢＴなどの第１〜第４スイッチング素子ＳＷ１〜ＳＷ４と、第１および第２リアクトルＬ１，Ｌ２と、第１ノードＡ〜第６ノードＦと、を備えている。
なお、第１の変換回路１１に対して第１電位点Ｐ１と第４電位点Ｐ４との間にはキャパシタＣＡ１が接続され、第２の変換回路１２に対して第３電位点Ｐ３と第６電位点Ｐ６との間にはキャパシタＣＡ２が接続されているが、各キャパシタＣＡ１，ＣＡ２は省略されてもよい。
【００３４】
第１ノードＡ（第１の変換回路１１のＡ１又は第２の変換回路１２のＡ２）には第２の電源ＢＴｂ（第１の変換回路１１の第２電源ＢＴ２又は第２の変換回路１２の第３電源ＢＴ３）の正極が接続され、第２ノードＢ（第１の変換回路１１のＢ１又は第２の変換回路１２のＢ２）には第２の電源ＢＴｂの負極が接続されている。
第３ノードＣ（第１の変換回路１１のＣ１又は第２の変換回路１２のＣ２）には第１の電源ＢＴａ（第１の変換回路１１の第１電源ＢＴ１又は第２の変換回路１２の第２電源ＢＴ２）の正極が接続され、第４ノードＤ（第１の変換回路１１のＤ１又は第２の変換回路１２のＤ２）には第１の電源ＢＴａの負極が接続されている。
第５ノードＥ（第１の変換回路１１のＥ１又は第２の変換回路１２のＥ２）と第３ノードＣ（第１の変換回路１１のＣ１又は第２の変換回路１２のＣ２）とには第２リアクトルＬ２の両端が接続されている。
第６ノードＦ（第１の変換回路１１のＦ１又は第２の変換回路１２のＦ２）と第２ノードＢ（第１の変換回路１１のＢ１又は第２の変換回路１２のＢ２）とには第１リアクトルＬ１の両端が接続されている。
第１スイッチング素子ＳＷ１のコレクタは第３ノードＣに接続され、エミッタは第６ノードＦに接続されている。第２スイッチング素子ＳＷ２のコレクタは第６ノードＦに接続され、エミッタは第４ノードＤに接続されている。第３スイッチング素子ＳＷ３のコレクタは第１ノードＡに接続され、エミッタは第５ノードＥに接続されている。第４スイッチング素子ＳＷ４のコレクタは第５ノードＥに接続され、エミッタは第２ノードＢに接続されている。各スイッチング素子ＳＷ１〜ＳＷ４のエミッタ−コレクタ間には、エミッタからコレクタに向けて順方向になるようにして各ダイオードＤ１〜Ｄ４が接続されている。
【００３５】
なお、第１電位点Ｐ１は第４ノードＤ１と同一であり、第２電位点Ｐ２は第３ノードＣ１と同一であり、第３電位点Ｐ３は第２ノードＢ１および第４ノードＤ２と同一であり、第４電位点Ｐ４は第１ノードＡ１および第３ノードＣ２と同一であり、第５電位点Ｐ５は第２ノードＢ２と同一であり、第６電位点Ｐ６は第２ノードＡ２と同一である。
【００３６】
各第１および第２の変換回路１１，１２は、図１１Ｂに示すように、第１の直流電力変換回路（ＲＥＧ１）４１と、第２の直流電力変換回路（ＲＥＧ２）４２と、によって構成されている。
第１の直流電力変換回路（ＲＥＧ１）４１は、第１および第２スイッチング素子ＳＷ１，ＳＷ２と、第１リアクトルＬ１と、を備えている。
第２の直流電力変換回路（ＲＥＧ２）１２は、第３および第４スイッチング素子ＳＷ３，ＳＷ４と、第２リアクトルＬ２と、を備えている。
【００３７】
第１および第２の変換回路１１，１２は、制御装置１５から出力されて各スイッチング素子ＳＷ１〜ＳＷ４のゲートに入力されるパルス幅変調（ＰＷＭ）された信号（ＰＷＭ信号）によって互いに独立に駆動可能に制御される。
より詳細には、各第１および第２の変換回路１１，１２毎に、第１の直流電力変換回路４１の第１および第２スイッチング素子ＳＷ１，ＳＷ２の組と、第２の直流電力変換回路４２の第３および第４スイッチング素子ＳＷ３，ＳＷ４の組とのうち、少なくとも何れか１つの組がスイッチング動作を行なうように制御される。このスイッチング動作では、各スイッチング素子ＳＷ１〜ＳＷ４が交互に閉接（ＯＮ）および開放（ＯＦＦ）に切り替えられる。
【００３８】
制御装置１５の接続切替制御部２２は、例えば図１２Ａ，Ｂに示すように、各第１および第２の変換回路１１，１２毎に、第１の直流電力変換回路４１の第１および第２スイッチング素子ＳＷ１，ＳＷ２を反転して交互に閉接および開放（ＯＮ／ＯＦＦ）に切り替えるスイッチング動作を、第１デューティＤｕｔｙ１によって制御する。第１デューティＤｕｔｙ１は、第１スイッチング素子ＳＷ１のオン時間ｔ（ＳＷ１）と第２スイッチング素子ＳＷ２のオン時間ｔ（ＳＷ２）とにより定義されている。接続切替制御部２２は、第１デューティＤｕｔｙ１によって第１の電源ＢＴａの第１の電圧ＶＢａを降圧して第１の直流電力変換回路４１から出力可能である。接続切替制御部２２は、第１の直流電力変換回路４１の出力電圧Ｖ１０（つまり、第２ノードＢと第４ノードＤとの間の電圧）を、第１の電圧ＶＢａと第１デューティＤｕｔｙ１との積（ＶＢａ×Ｄｕｔｙ１＝Ｖ１０）として制御する。
接続切替制御部２２は、例えば図１２Ａ，Ｂに示すように、各第１および第２の変換回路１１，１２毎に、第２の直流電力変換回路４２の第３および第４スイッチング素子ＳＷ３，ＳＷ４を反転して交互に閉接および開放（ＯＮ／ＯＦＦ）に切り替えるスイッチング動作を、第２デューティＤｕｔｙ２によって制御する。第２デューティＤｕｔｙ２は、第３スイッチング素子ＳＷ３のオン時間ｔ（ＳＷ３）と第４スイッチング素子ＳＷ４のオン時間ｔ（ＳＷ４）とにより定義されている。接続切替制御部２２は、第２デューティＤｕｔｙ２によって第２の電源ＢＴｂの第２の電圧ＶＢｂを降圧して第２の直流電力変換回路４２から出力可能である。接続切替制御部２２は、第２の直流電力変換回路４２の出力電圧Ｖ２０（つまり、第１ノードＡと第３ノードＣとの間の電圧）を、第２の電圧ＶＢｂと第２デューティＤｕｔｙ２との積（ＶＢｂ×Ｄｕｔｙ２＝Ｖ２０）として制御する。
【００３９】
これらによって、接続切替制御部２２は、各第１および第２の変換回路１１，１２毎に、第１ノードＡおよび第４ノードＤ間の電圧Ｖ０を、第１および第２の電源ＢＴａ，ＢＴｂの何れかの電圧と、第１および第２の電源ＢＴａ，ＢＴｂの電圧の和の電圧との間の任意の電圧に制御する。
これによって、例えば第１〜第３電圧ＶＢ１〜ＶＢ３が等しい場合（ＶＢ１＝ＶＢ２＝ＶＢ３＝ＶＢ）には、負荷１３に印加する電圧の昇圧比は１から３までの間の任意の値に制御される。
【００４０】
（第３実施例）
以下に、上述した実施形態の第３実施例に係る電源装置１０について添付図面を参照しながら説明する。
第３実施例に係る電源装置１０は、図１３に示すような互いに同一の第１および第２の変換回路１１，１２を備えている。各第１および第２の変換回路１１，１２は、第１ノードＡ〜第６ノードＦと、ＩＧＢＴなどの第１および第２スイッチング素子ＳＷ１，ＳＷ２と第１リアクトルＬ１とを備える第１の直流電力変換回路（ＲＥＧ１）４１と、ＩＧＢＴなどの第１および第３スイッチング素子ＳＷ１，ＳＷ３と第２リアクトルＬ２とを備える第２の直流電力変換回路（ＲＥＧ２）４２と、を備えている。
【００４１】
第１ノードＡには第２の電源ＢＴｂ（第１の変換回路１１の第２電源ＢＴ２又は第２の変換回路１２の第３電源ＢＴ３）の正極が接続され、第２ノードＢには第２の電源ＢＴｂの負極が接続され、第３ノードＣには第１の電源ＢＴａ（第１の変換回路１１の第１電源ＢＴ１又は第２の変換回路１２の第２電源ＢＴ２）の正極が接続され、第４ノードＤには第１の電源ＢＴａの負極が接続されている。第５ノードＥと第２ノードＢとには第２リアクトルＬ２の両端が接続され、第６ノードＦと第３ノードＣとには第１リアクトルＬ１の両端が接続されている。
第１スイッチング素子ＳＷ１のコレクタは第５ノードＥに接続され、エミッタは第６ノードＦに接続されている。第２スイッチング素子ＳＷ２のコレクタは第６ノードＦに接続され、エミッタは第４ノードＤに接続されている。第３スイッチング素子ＳＷ３のコレクタは第１ノードＡに接続され、エミッタは第５ノードＥに接続されている。各スイッチング素子ＳＷ１〜ＳＷ３のエミッタ−コレクタ間には、エミッタからコレクタに向けて順方向になるようにして各ダイオードＤ１〜Ｄ３が接続されている。
【００４２】
制御装置１５の接続切替制御部２２は、図１４Ａ，Ｂに示すように、各第１および第２の変換回路１１，１２毎に、第１の直流電力変換回路４１の第１および第２スイッチング素子ＳＷ１，ＳＷ２を反転して交互に閉接および開放（ＯＮ／ＯＦＦ）に切り替えるスイッチング動作を、第１デューティＤｕｔｙ１によって制御する。第１デューティＤｕｔｙ１は、第１スイッチング素子ＳＷ１のオン時間ｔ（ＳＷ１）と第２スイッチング素子ＳＷ２のオン時間ｔ（ＳＷ２）とにより定義されている。接続切替制御部２２は、第１デューティＤｕｔｙ１によって第１の電源ＢＴａの第１の電圧ＶＢａを昇圧して第１の直流電力変換回路４１から出力可能である。接続切替制御部２２は、第１の直流電力変換回路４１の出力電圧Ｖ１０（つまり、第５ノードＥと第４ノードＤとの間の電圧）を、第１の電圧ＶＢａと第１デューティＤｕｔｙ１とに応じて制御する。
接続切替制御部２２は、図１４Ａ，Ｂに示すように、各第１および第２の変換回路１１，１２毎に、第２の直流電力変換回路４２の第１および第３スイッチング素子ＳＷ１，ＳＷ３を反転して交互に閉接および開放（ＯＮ／ＯＦＦ）に切り替えるスイッチング動作を、第２デューティＤｕｔｙ２によって制御する。第２デューティＤｕｔｙ２は、第１スイッチング素子ＳＷ１のオン時間ｔ（ＳＷ１）と第３スイッチング素子ＳＷ３のオン時間ｔ（ＳＷ３）とにより定義されている。接続切替制御部２２は、第２デューティＤｕｔｙ２によって第２の電源ＢＴｂの第２の電圧ＶＢｂを昇圧して第２の直流電力変換回路４２から出力可能である。接続切替制御部２２は、第２の直流電力変換回路４２の出力電圧Ｖ２０（つまり、第１ノードＡと第６ノードＦとの間の電圧）を、第２の電圧ＶＢｂと第２デューティＤｕｔｙ２とに応じて制御する。
【００４３】
これらによって、接続切替制御部２２は、各第１および第２の変換回路１１，１２毎に、第１ノードＡおよび第４ノードＤ間の電圧Ｖ０を、第１および第２の電圧ＶＢａ，ＶＢｂの和の電圧以上の任意の電圧に制御する。
これによって、負荷１３に印加する電圧は、第１から第３電圧ＶＢ１〜ＶＢ３の和の電圧（ＶＢ１＋ＶＢ２＋ＶＢ３）以上の任意の電圧に制御される。
【００４４】
（第４実施例）
以下に、上述した実施形態の第４実施例に係る電源装置１０について添付図面を参照しながら説明する。
第４実施例に係る電源装置１０の各第１および第２の変換回路１１，１２は、図１５に示すように、上述した第３実施例において第１スイッチング素子ＳＷ１が双方向スイッチとされ、さらに、第４および第５スイッチング素子ＳＷ４，ＳＷ５を備えている。
【００４５】
第１の直流電力変換回路（ＲＥＧ１）４１は、第１，第２，および第４スイッチング素子ＳＷ１，ＳＷ２，ＳＷ４と、第１リアクトルＬ１と、を備えて構成されている。
第２の直流電力変換回路（ＲＥＧ２）４２は、第１，第３，および第５スイッチング素子ＳＷ１，ＳＷ３，ＳＷ５と、第２１リアクトルＬ２と、を備えて構成されている。
双方向スイッチを成す第１スイッチング素子ＳＷ１は、例えば、２つのスイッチング素子ＳＷ１ａ，ＳＷ１ｂが逆極性に直列に接続されて構成されている。
第４スイッチング素子ＳＷ４のコレクタは第５ノードＥに接続され、エミッタは第４ノードＤに接続されている。第５スイッチング素子ＳＷ５のコレクタは第１ノードＡに接続され、エミッタは第６ノードＦに接続されている。第４および第５スイッチング素子ＳＷ４，ＳＷ５のエミッタ−コレクタ間には、エミッタからコレクタに向けて順方向になるようにして第４および第５ダイオードＤ４，Ｄ５が接続されている。
【００４６】
制御装置１５の接続切替制御部２２は、図１６Ａ，Ｂに示すように、各第１および第２の変換回路１１，１２毎に、第１の直流電力変換回路４１の第１および第４スイッチング素子ＳＷ１，ＳＷ４を反転して交互に閉接および開放（ＯＮ／ＯＦＦ）に切り替えるスイッチング動作を、第１降圧デューティＤｕｔｙ１１によって制御する。第１降圧デューティＤｕｔｙ１１は、第１スイッチング素子ＳＷ１のオン時間ｔ（ＳＷ１）と第４スイッチング素子ＳＷ４のオン時間ｔ（ＳＷ４）とにより定義されている。接続切替制御部２２は、第１降圧デューティＤｕｔｙ１１によって第１の電圧ＶＢａを降圧して第１の直流電力変換回路４１から出力可能である。接続切替制御部２２は、第１の直流電力変換回路４１の出力電圧Ｖ１０ａ（つまり、第５ノードＥと第４ノードＤとの間の電圧）を、第１の電圧ＶＢａと第１降圧デューティＤｕｔｙ１１との積（ＶＢａ×Ｄｕｔｙ１１＝Ｖ１０ａ）として制御する。
接続切替制御部２２は、図１６Ａ，Ｂに示すように、各第１および第２の変換回路１１，１２毎に、第２の直流電力変換回路４２の第１および第５スイッチング素子ＳＷ１，ＳＷ５を反転して交互に閉接および開放（ＯＮ／ＯＦＦ）に切り替えるスイッチング動作を、第２降圧デューティＤｕｔｙ２１によって制御する。第２降圧デューティＤｕｔｙ２１は、第１スイッチング素子ＳＷ１のオン時間ｔ（ＳＷ１）と第５スイッチング素子ＳＷ５のオン時間ｔ（ＳＷ５）とにより定義されている。接続切替制御部２２は、第２降圧デューティＤｕｔｙ２１によって第２の電圧ＶＢｂを降圧して第２の直流電力変換回路４２から出力可能である。接続切替制御部２２は、第２の直流電力変換回路４２の出力電圧Ｖ２０ａ（つまり、第１ノードＡと第６ノードＦとの間の電圧）を、第２の電圧ＶＢｂと第２降圧デューティＤｕｔｙ２１との積（ＶＢｂ×Ｄｕｔｙ２１＝Ｖ２０ａ）として制御する。
【００４７】
これらによって、接続切替制御部２２は、各第１および第２の変換回路１１，１２毎に、第１ノードＡおよび第４ノードＤ間の電圧Ｖ０を、第１および第２の電源ＢＴａ，ＢＴｂの何れかの電圧と、第１および第２の電源ＢＴａ，ＢＴｂの電圧の和の電圧との間の任意の電圧に制御する。
これによって、例えば第１〜第３電圧ＶＢ１〜ＶＢ３が等しい場合（ＶＢ１＝ＶＢ２＝ＶＢ３＝ＶＢ）には、負荷１３に印加する電圧の昇圧比は１から３までの間の任意の値に制御される。
【００４８】
制御装置１５の接続切替制御部２２は、図１６Ｃ，Ｄに示すように、各第１および第２の変換回路１１，１２毎に、第１の直流電力変換回路４１の第１および第２スイッチング素子ＳＷ１，ＳＷ２を反転して交互に閉接および開放（ＯＮ／ＯＦＦ）に切り替えるスイッチング動作を、第１昇圧デューティＤｕｔｙ１２によって制御する。第１昇圧デューティＤｕｔｙ１２は、第１スイッチング素子ＳＷ１のオン時間ｔ（ＳＷ１）と第２スイッチング素子ＳＷ２のオン時間ｔ（ＳＷ２）とにより定義されている。接続切替制御部２２は、第１昇圧デューティＤｕｔｙ１２によって第１の電圧ＶＢａを昇圧して第１の直流電力変換回路４１から出力可能である。接続切替制御部２２は、第１の直流電力変換回路４１の出力電圧Ｖ１０ｂ（つまり、第５ノードＥと第４ノードＤとの間の電圧）を、第１の電圧ＶＢａと第１昇圧デューティＤｕｔｙ１２とに応じて制御する。
制御装置１５の接続切替制御部２２は、図１６Ｃ，Ｄに示すように、各第１および第２の変換回路１１，１２毎に、第２の直流電力変換回路４２の第１および第３スイッチング素子ＳＷ１，ＳＷ３を反転して交互に閉接および開放（ＯＮ／ＯＦＦ）に切り替えるスイッチング動作を、第２昇圧デューティＤｕｔｙ２２によって制御する。第２昇圧デューティＤｕｔｙ２２は、第１スイッチング素子ＳＷ１のオン時間ｔ（ＳＷ１）と第３スイッチング素子ＳＷ３のオン時間ｔ（ＳＷ３）とにより定義されている。接続切替制御部２２は、第２昇圧デューティＤｕｔｙ２２によって第２の電圧ＶＢｂを昇圧して第２の直流電力変換回路４２から出力可能である。接続切替制御部２２は、第２の直流電力変換回路４２ｂの出力電圧Ｖ２０ｂ（つまり、第１ノードＡと第６ノードＦとの間の電圧）を、第２の電圧ＶＢｂと第２昇圧デューティＤｕｔｙ２２とに応じて制御する。
【００４９】
これらによって、接続切替制御部２２は、各第１および第２の変換回路１１，１２毎に、第１ノードＡおよび第４ノードＤ間の電圧Ｖ０を、第１および第２の電圧ＶＢａ，ＶＢｂの和の電圧以上の任意の電圧に制御する。
これによって、負荷１３に印加する電圧は、第１から第３電圧ＶＢ１〜ＶＢ３の和の電圧（ＶＢ１＋ＶＢ２＋ＶＢ３）以上の任意の電圧に制御される。
【００５０】
（第５実施例）
以下に、上述した実施形態の第５実施例に係る電源装置１０について添付図面を参照しながら説明する。
第５実施例に係る電源装置１０は、図１７に示すような互いに同一の第１および第２の変換回路１１，１２を備えている。各第１および第２の変換回路１１，１２は、第１ノードＡ〜第６ノードＦと、ＩＧＢＴなどの第１および第２スイッチング素子ＳＷ１，ＳＷ２と第１リアクトルＬ１とを備える第１の直流電力変換回路（ＲＥＧ１）４１と、ＩＧＢＴなどの第３および第４スイッチング素子ＳＷ３，ＳＷ４と第２リアクトルＬ２とを備える第２の直流電力変換回路（ＲＥＧ２）４２と、を備えている。
【００５１】
第１ノードＡには第２の電源ＢＴｂ（第１の変換回路１１の第２電源ＢＴ２又は第２の変換回路１２の第３電源ＢＴ３）の正極が接続され、第２ノードＢには第２の電源ＢＴｂの負極が接続され、第３ノードＣには第１の電源ＢＴａ（第１の変換回路１１の第１電源ＢＴ１又は第２の変換回路１２の第２電源ＢＴ２）の正極が接続され、第４ノードＤには第１の電源ＢＴａの負極が接続されている。第５ノードＥと第２ノードＢとには第２リアクトルＬ２の両端が接続され、第６ノードＦと第３ノードＣとには第１リアクトルＬ１の両端が接続されている。
第１スイッチング素子ＳＷ１のコレクタは第２ノードＢに接続され、エミッタは第６ノードＦに接続されている。第２スイッチング素子ＳＷ２のコレクタは第６ノードＦに接続され、エミッタは第４ノードＤに接続されている。第３スイッチング素子ＳＷ３のコレクタは第１ノードＡに接続され、エミッタは第５ノードＥに接続されている。第４スイッチング素子ＳＷ４のコレクタは第５ノードＥに接続され、エミッタは第３ノードＣに接続されている。各スイッチング素子ＳＷ１〜ＳＷ４のエミッタ−コレクタ間には、エミッタからコレクタに向けて順方向になるようにして各ダイオードＤ１〜Ｄ４が接続されている。
【００５２】
制御装置１５の接続切替制御部２２は、図１８Ａ，Ｂに示すように、各第１および第２の変換回路１１，１２毎に、第１の直流電力変換回路４１の第１および第２スイッチング素子ＳＷ１，ＳＷ２を反転して交互に閉接および開放（ＯＮ／ＯＦＦ）に切り替えるスイッチング動作を、第１デューティＤｕｔｙ１によって制御する。第１デューティＤｕｔｙ１は、第１スイッチング素子ＳＷ１のオン時間ｔ（ＳＷ１）と第２スイッチング素子ＳＷ２のオン時間ｔ（ＳＷ２）とにより定義されている。接続切替制御部２２は、第１デューティＤｕｔｙ１によって第１の電源ＢＴａの第１の電圧ＶＢａを昇圧して第１の直流電力変換回路１１から出力可能である。接続切替制御部２２は、第１の直流電力変換回路４１の出力電圧Ｖ１０（つまり、第２ノードＢと第４ノードＤとの間の電圧）を、第１の電圧ＶＢａと第１デューティＤｕｔｙ１とに応じて制御する。
接続切替制御部２２は、図１８Ａ，Ｂに示すように、各第１および第２の変換回路１１，１２毎に、第２の直流電力変換回路４２の第３および第４スイッチング素子ＳＷ３，ＳＷ４を反転して交互に閉接および開放（ＯＮ／ＯＦＦ）に切り替えるスイッチング動作を、第２デューティＤｕｔｙ２によって制御する。第２デューティＤｕｔｙ２は、第３スイッチング素子ＳＷ３のオン時間ｔ（ＳＷ３）と第４スイッチング素子ＳＷ４のオン時間ｔ（ＳＷ４）とにより定義されている。接続切替制御部２２は、第２デューティＤｕｔｙ２によって第２の電源ＢＴｂの第２の電圧ＶＢｂを昇圧して第２の直流電力変換回路４２から出力可能である。第２の直流電力変換回路４２の出力電圧Ｖ２０（つまり、第１ノードＡと第３ノードＣとの間の電圧）を、第２の電圧ＶＢｂと第２デューティＤｕｔｙ２とに応じて制御する。
【００５３】
これらによって、接続切替制御部２２は、各第１および第２の変換回路１１，１２毎に、第１ノードＡおよび第４ノードＤ間の電圧Ｖ０を、第１および第２の電圧ＶＢａ，ＶＢｂの和の電圧以上の任意の電圧に制御する。
これによって、負荷１３に印加する電圧は、第１から第３電圧ＶＢ１〜ＶＢ３の和の電圧（ＶＢ１＋ＶＢ２＋ＶＢ３）以上の任意の電圧に制御される。
【００５４】
（第６実施例）
以下に、上述した実施形態の第６実施例に係る電源装置１０について添付図面を参照しながら説明する。
第６実施例に係る電源装置１０の各第１および第２の変換回路１１，１２は、図１９および図２０に示すように、上述した第５実施例において第１および第４スイッチング素子ＳＷ１，ＳＷ４が双方向スイッチとされ、さらに、第５および第６スイッチング素子ＳＷ５，ＳＷ６を備えている。
この第６実施例の各第１および第２の変換回路１１，１２は、図１９に示すように、第３，第４，および第６スイッチング素子ＳＷ３，ＳＷ４，ＳＷ６と第２リアクトルＬ２とを備える第１の降圧型直流電力変換回路（ＲＥＧ１１）４１ａと、第１，第２，および第５スイッチング素子ＳＷ１，ＳＷ２，ＳＷ５と第１リアクトルＬ１とを備える第２の降圧型直流電力変換回路（ＲＥＧ２１）４２ａと、を備えている。
また、各第１および第２の変換回路１１，１２は、図２０に示すように、第１および第２の降圧型直流電力変換回路４１ａ，４２ａの代わりに、第１，第２，および第５スイッチング素子ＳＷ１，ＳＷ２，ＳＷ５と第１リアクトルＬ１とを備える第１の昇圧型直流電力変換回路（ＲＥＧ１２）１１ｂと、第３，第４，および第６スイッチング素子ＳＷ３，ＳＷ４，ＳＷ６と第２リアクトルＬ２とを備える第２の昇圧型直流電力変換回路（ＲＥＧ２２）１２ｂと、を備えている。
【００５５】
双方向スイッチを成す第１スイッチング素子ＳＷ１は、例えば、２つのスイッチング素子ＳＷ１ａ，ＳＷ１ｂが逆極性に直列に接続されて構成されている。双方向スイッチを成す第４スイッチング素子ＳＷ４は、例えば、２つのスイッチング素子ＳＷ４ａ，ＳＷ４ｂが逆極性に直列に接続されて構成されている。
第５スイッチング素子ＳＷ５のコレクタは第１ノードＡに接続され、エミッタは第６ノードＦに接続されている。第６スイッチング素子ＳＷ６のコレクタは第５ノードＥに接続され、エミッタは第４ノードＤに接続されている。第５および第６スイッチング素子ＳＷ５，ＳＷ６のエミッタ−コレクタ間には、エミッタからコレクタに向けて順方向になるようにして第５および第６ダイオードＤ５，Ｄ６が接続されている。
【００５６】
制御装置１５の接続切替制御部２２は、図２１Ａ，Ｂに示すように、各第１および第２の変換回路１１，１２毎に、第１の降圧型直流電力変換回路４１ａの第４および第６スイッチング素子ＳＷ４，ＳＷ６を反転して交互に閉接および開放（ＯＮ／ＯＦＦ）に切り替えるスイッチング動作を、第１降圧デューティＤｕｔｙ１１によって制御する。第１降圧デューティＤｕｔｙ１１は、第４スイッチング素子ＳＷ４のオン時間ｔ（ＳＷ４）と第６スイッチング素子ＳＷ６のオン時間ｔ（ＳＷ６）とにより定義されている。接続切替制御部２２は、第１降圧デューティＤｕｔｙ１１によって第１電圧ＶＢ１を降圧して第１の降圧型直流電力変換回路４１ａから出力可能である。接続切替制御部２２は、第１の降圧型直流電力変換回路４１ａの出力電圧Ｖ１０ａ（つまり、第２ノードＢと第４ノードＤとの間の電圧）を、第１の電圧ＶＢａと第１降圧デューティＤｕｔｙ１１との積（ＶＢａ×Ｄｕｔｙ１１＝Ｖ１０ａ）として制御する。
接続切替制御部２２は、図２１Ａ，Ｂに示すように、各第１および第２の変換回路１１，１２毎に、第２の降圧型直流電力変換回路４２ａの第１および第５スイッチング素子ＳＷ１，ＳＷ５を反転して交互に閉接および開放（ＯＮ／ＯＦＦ）に切り替えるスイッチング動作を、第２降圧デューティＤｕｔｙ２１によって制御する。第２降圧デューティＤｕｔｙ２１は、第１スイッチング素子ＳＷ１のオン時間ｔ（ＳＷ１）と第５スイッチング素子ＳＷ５のオン時間ｔ（ＳＷ５）とにより定義されている。接続切替制御部２２は、第２降圧デューティＤｕｔｙ２１によって第２の電圧ＶＢｂを降圧して第２の降圧型直流電力変換回路４２ａから出力可能である。接続切替制御部２２は、第２の降圧型直流電力変換回路４２ａの出力電圧Ｖ２０ａ（つまり、第１ノードＡと第３ノードＣとの間の電圧）を、第２の電圧ＶＢｂと第２降圧デューティＤｕｔｙ２１との積（ＶＢ２×Ｄｕｔｙ２１＝Ｖ２０ａ）として制御する。
【００５７】
これらによって、接続切替制御部２２は、各第１および第２の変換回路１１，１２毎に、第１ノードＡおよび第４ノードＤ間の電圧Ｖ０を、第１および第２の電源ＢＴａ，ＢＴｂの何れかの電圧と、第１および第２の電源ＢＴａ，ＢＴｂの電圧の和の電圧との間の任意の電圧に制御する。
これによって、例えば第１〜第３電圧ＶＢ１〜ＶＢ３が等しい場合（ＶＢ１＝ＶＢ２＝ＶＢ３＝ＶＢ）には、負荷１３に印加する電圧の昇圧比は１から３までの間の任意の値に制御される。
【００５８】
制御装置１５の接続切替制御部２２は、図２１Ｃ，Ｄに示すように、各第１および第２の変換回路１１，１２毎に、第１の昇圧型直流電力変換回路４１ｂの第１および第２スイッチング素子ＳＷ１，ＳＷ２を反転して交互に閉接および開放（ＯＮ／ＯＦＦ）に切り替えるスイッチング動作を、第１昇圧デューティＤｕｔｙ１２によって制御する。第１昇圧デューティＤｕｔｙ１２は、第１スイッチング素子ＳＷ１のオン時間ｔ（ＳＷ１）と第２スイッチング素子ＳＷ２のオン時間ｔ（ＳＷ２）とにより定義されている。接続切替制御部２２は、第１昇圧デューティＤｕｔｙ１２によって第１の電圧ＶＢａを昇圧して第１の昇圧型直流電力変換回路４１ｂから出力可能である。接続切替制御部２２は、第１の昇圧型直流電力変換回路４１ｂの出力電圧Ｖ１０ｂ（つまり、第２ノードＢと第４ノードＤとの間の電圧）を、第１の電圧ＶＢａと第１昇圧デューティＤｕｔｙ１２とに応じて制御する。
接続切替制御部２２は、図２１Ｃ，Ｄに示すように、各第１および第２の変換回路１１，１２毎に、第２の昇圧型直流電力変換回路４２ｂの第３および第４スイッチング素子ＳＷ３，ＳＷ４を反転して交互に閉接および開放（ＯＮ／ＯＦＦ）に切り替えるスイッチング動作を、第２昇圧デューティＤｕｔｙ２２によって制御する。第２昇圧デューティＤｕｔｙ２２は、第３スイッチング素子ＳＷ３のオン時間ｔ（ＳＷ３）と第４スイッチング素子ＳＷ４のオン時間ｔ（ＳＷ４）とにより定義されている。接続切替制御部２２は、第２昇圧デューティＤｕｔｙ２２によって第２の電圧ＶＢｂを昇圧して第２の昇圧型直流電力変換回路４２ｂから出力可能であり、第２の昇圧型直流電力変換回路４２ｂの出力電圧Ｖ２０ｂ（つまり、第１ノードＡと第３ノードＣとの間の電圧）を、第２の電圧ＶＢと第２昇圧デューティＤｕｔｙ２２とに応じて制御する。
【００５９】
これらによって、接続切替制御部２２は、各第１および第２の変換回路１１，１２毎に、第１ノードＡおよび第４ノードＤ間の電圧Ｖ０を、第１および第２の電圧ＶＢａ，ＶＢｂの和の電圧以上の任意の電圧に制御する。
これによって、負荷１３に印加する電圧は、第１から第３電圧ＶＢ１〜ＶＢ３の和の電圧（ＶＢ１＋ＶＢ２＋ＶＢ３）以上の任意の電圧に制御される。
【００６０】
（第７実施例）
以下に、上述した実施形態の第７実施例に係る電源装置１０について添付図面を参照しながら説明する。
第７実施例に係る電源装置１０の各第１および第２の変換回路１１，１２は、図２２に示すように、上述した第５実施例において、さらに、第７および第８ノードＧ，Ｈと、第５〜第８スイッチング素子ＳＷ５〜ＳＷ８を備えている。
この第７実施例の各第１および第２の変換回路１１，１２は、第１，第２，第５，および第６スイッチング素子ＳＷ１，ＳＷ２，ＳＷ５，ＳＷ６と第１リアクトルＬ１とを備える第１の直流電力変換回路（ＲＥＧ１）４１と、第３，第４，第７，および第８スイッチング素子ＳＷ３，ＳＷ４，ＳＷ７，ＳＷ８と第２１リアクトルＬ２とを備える第２の直流電力変換回路（ＲＥＧ２）４２と、を備えている。
【００６１】
第７ノードＧは第２ノードＢと第２のリアクトルＬ２との間に設けられ、第８ノードＨは第３ノードＣと第１のリアクトルＬ１との間に設けられている。
第５スイッチング素子ＳＷ５のコレクタは第３ノードＣに接続され、エミッタは第８ノードＨに接続されている。第６スイッチング素子ＳＷ６のコレクタは第８ノードＨに接続され、エミッタは第４ノードＤに接続されている。第７スイッチング素子ＳＷ７のコレクタは第１ノードＡに接続され、エミッタは第７ノードＧに接続されている。第８スイッチング素子ＳＷ８のコレクタは第７ノードＧに接続され、エミッタは第２ノードＢに接続されている。第５〜第８スイッチング素子ＳＷ５〜ＳＷ８のエミッタ−コレクタ間には、エミッタからコレクタに向けて順方向になるようにして第５〜第８ダイオードＤ５〜Ｄ８が接続されている。
【００６２】
制御装置１５の接続切替制御部２２は、図２３Ａ，Ｂに示すように、各第１および第２の変換回路１１，１２毎に、第１の直流電力変換回路４１の第５および第６スイッチング素子ＳＷ５，ＳＷ６を反転して交互に閉接および開放（ＯＮ／ＯＦＦ）に切り替えるスイッチング動作を、第１降圧デューティＤｕｔｙ１１によって制御する。第１降圧デューティＤｕｔｙ１１は、第５スイッチング素子ＳＷ５のオン時間ｔ（ＳＷ５）と第６スイッチング素子ＳＷ６のオン時間ｔ（ＳＷ６）とにより定義されている。接続切替制御部２２は、第１降圧デューティＤｕｔｙ１１によって第１の電圧ＶＢａを降圧して第１の直流電力変換回路４１から出力可能である。接続切替制御部２２は、第１の直流電力変換回路４１の出力電圧Ｖ１０ａ（つまり、第２ノードＢと第４ノードＤとの間の電圧）を、第１の電圧ＶＢａと第１降圧デューティＤｕｔｙ１１との積（ＶＢａ×Ｄｕｔｙ１１＝Ｖ１０ａ）として制御する。
接続切替制御部２２は、図２３Ａ，Ｂに示すように、各第１および第２の変換回路１１，１２毎に、第２の直流電力変換回路４２の第７および第８スイッチング素子ＳＷ７，ＳＷ８を反転して交互に閉接および開放（ＯＮ／ＯＦＦ）に切り替えるスイッチング動作を、第２降圧デューティＤｕｔｙ２１によって制御する。第２降圧デューティＤｕｔｙ２１は、第８スイッチング素子ＳＷ８のオン時間ｔ（ＳＷ８）と第７スイッチング素子ＳＷ７のオン時間ｔ（ＳＷ７）とにより定義されている。接続切替制御部２２は、第２降圧デューティＤｕｔｙ２１によって第２の電圧ＶＢｂを降圧して第２の直流電力変換回路４２から出力可能である。接続切替制御部２２は、第２の直流電力変換回路４２の出力電圧Ｖ２０ａ（つまり、第１ノードＡと第３ノードＣとの間の電圧）を、第２の電圧ＶＢｂと第２降圧デューティＤｕｔｙ２１との積（ＶＢｂ×Ｄｕｔｙ２１＝Ｖ２０ａ）として制御する。
【００６３】
これらによって、接続切替制御部２２は、各第１および第２の変換回路１１，１２毎に、第１ノードＡおよび第４ノードＤ間の電圧Ｖ０を、第１および第２の電源ＢＴａ，ＢＴｂの何れかの電圧と、第１および第２の電源ＢＴａ，ＢＴｂの電圧の和の電圧との間の任意の電圧に制御する。
これによって、例えば第１〜第３電圧ＶＢ１〜ＶＢ３が等しい場合（ＶＢ１＝ＶＢ２＝ＶＢ３＝ＶＢ）には、負荷１３に印加する電圧の昇圧比は１から３までの間の任意の値に制御される。
【００６４】
制御装置１５の接続切替制御部２２は、図２３Ｃ，Ｄに示すように、各第１および第２の変換回路１１，１２毎に、第１の直流電力変換回路４１の第１および第２スイッチング素子ＳＷ１，ＳＷ２を反転して交互に閉接および開放（ＯＮ／ＯＦＦ）に切り替えるスイッチング動作を、第１昇圧デューティＤｕｔｙ１２によって制御する。第１昇圧デューティＤｕｔｙ１２は、第１スイッチング素子ＳＷ１のオン時間ｔ（ＳＷ１）と第２スイッチング素子ＳＷ２のオン時間ｔ（ＳＷ２）とにより定義されている。接続切替制御部２２は、第１昇圧デューティＤｕｔｙ１２によって第１の電圧ＶＢａを昇圧して第１の直流電力変換回路４１から出力可能である。接続切替制御部２２は、第１の直流電力変換回路４１の出力電圧Ｖ１０ｂ（つまり、第２ノードＢと第４ノードＤとの間の電圧）を、第１の電圧ＶＢａと第１昇圧デューティＤｕｔｙ１２とに応じて制御する。
接続切替制御部２２は、図２３Ｃ，Ｄに示すように、各第１および第２の変換回路１１，１２毎に、第２の直流電力変換回路４２の第３および第４スイッチング素子ＳＷ３，ＳＷ４を反転して交互に閉接および開放（ＯＮ／ＯＦＦ）に切り替えるスイッチング動作を、第２昇圧デューティＤｕｔｙ２２によって制御する。第２昇圧デューティＤｕｔｙ２２は、第３スイッチング素子ＳＷ３のオン時間ｔ（ＳＷ３）と第４スイッチング素子ＳＷ４のオン時間ｔ（ＳＷ４）とにより定義されている。接続切替制御部２２は、第２昇圧デューティＤｕｔｙ２２によって第２の電圧ＶＢｂを昇圧して第２の直流電力変換回路４２から出力可能である。接続切替制御部２２は、第２の直流電力変換回路４２ｂの出力電圧Ｖ２０ｂ（つまり、第１ノードＡと第３ノードＣとの間の電圧）を、第２の電圧ＶＢｂと第２昇圧デューティＤｕｔｙ２２とに応じて制御する。
【００６５】
これらによって、接続切替制御部２２は、各第１および第２の変換回路１１，１２毎に、第１ノードＡおよび第４ノードＤ間の電圧Ｖ０を、第１および第２の電圧ＶＢａ，ＶＢｂの和の電圧以上の任意の電圧に制御する。
これによって、負荷１３に印加する電圧は、第１から第３電圧ＶＢ１〜ＶＢ３の和の電圧（ＶＢ１＋ＶＢ２＋ＶＢ３）以上の任意の電圧に制御される。
【００６６】
なお、本発明の技術的範囲は上述した実施形態に限定されるものではなく、本発明の趣旨を逸脱しない範囲において、上述した実施形態に種々の変更を加えたものを含む。すなわち、上述した実施形態の構成はほんの一例に過ぎず、適宜変更が可能である。
例えば、電源ＢＴは、放電および充電が可能なバッテリなどに限定されず、放電のみが可能な燃料電池や発電機などであってもよい。
【符号の説明】
【００６７】
１０  電源装置
１１  第１の変換回路（電圧制御手段、第１の変換回路）
１２  第２の変換回路（電圧制御手段、第２の変換回路）
１３  負荷
１５  制御装置（電圧制御手段）
３１  第２の負荷
３２  第３の負荷
３３  第４の負荷
【図１】
2014239572.tif 000003
【図２】
2014239572.tif 000004
【図３Ａ】
2014239572.tif 000005
【図３Ｂ】
2014239572.tif 000006
【図４】
2014239572.tif 000007
【図５】
2014239572.tif 000008
【図６】
2014239572.tif 000009
【図７】
2014239572.tif 000010
【図８Ａ】
2014239572.tif 000011
【図８Ｂ】
2014239572.tif 000012
【図９Ａ】
2014239572.tif 000013
【図９Ｂ】
2014239572.tif 000014
【図１０】
2014239572.tif 000015
【図１１Ａ】
2014239572.tif 000016
【図１１Ｂ】
2014239572.tif 000017
【図１２Ａ】
2014239572.tif 000018
【図１２Ｂ】
2014239572.tif 000019
【図１３】
2014239572.tif 000020
【図１４Ａ】
2014239572.tif 000021
【図１４Ｂ】
2014239572.tif 000022
【図１５】
2014239572.tif 000023
【図１６Ａ】
2014239572.tif 000024
【図１６Ｂ】
2014239572.tif 000025
【図１６Ｃ】
2014239572.tif 000026
【図１６Ｄ】
2014239572.tif 000027
【図１７】
2014239572.tif 000028
【図１８Ａ】
2014239572.tif 000029
【図１８Ｂ】
2014239572.tif 000030
【図１９】
2014239572.tif 000031
【図２０】
2014239572.tif 000032
【図２１Ａ】
2014239572.tif 000033
【図２１Ｂ】
2014239572.tif 000034
【図２１Ｃ】
2014239572.tif 000035
【図２１Ｄ】
2014239572.tif 000036
【図２２】
2014239572.tif 000037
【図２３Ａ】
2014239572.tif 000038
【図２３Ｂ】
2014239572.tif 000039
【図２３Ｃ】
2014239572.tif 000040
【図２３Ｄ】
2014239572.tif 000041